(57)【要約】【課題】比較的低い製造コストをもって得られ、しかも、それを人頭部に装着する使用者に不快感を覚えさせる事態を回避できる頭部装着具を提供する。【解決手段】各々が、帯状平板体部（２１）とその長手方向の両端部に夫々配された二つの端部平板体部（２３，２４）とを有し、二つの端部平板体部（２３，２４）の夫々の仮想中心線が帯状平板体部（２１）の長手方向に伸びる仮想中心線に対して傾斜角をなすものとされる、互いに同形状の一対の平板状部材（２０Ａ，２０Ｂ）を備え、平板状部材（２０Ａ）の端部平板体部（２３）と平板状部材（２０Ｂ）の端部平板体部（２４）とが夫々の長孔（２５，２６）を一致させるべく重ね合わされるとともに、平板状部材（２０Ａ）の端部平板体部（２４）と平板状部材（２０Ｂ）の端部平板体部（２３）とが夫々の長孔（２６，２５）を一致させるべく重ね合わされて組み立てられる。【選択図】図１
2008073125.tif 000002
【特許請求の範囲】
【請求項１】
各々が、帯状平板体部と第１の方向に伸びる長孔が設けられて上記帯状平板体部の長手方向の両端部に夫々配された第１及び第２の端部平板体部とを有していて、該第１及び第２の端部平板体部の夫々における上記第１の方向に直交する第２の方向に伸びる第１の仮想中心線が、上記帯状平板体部の長手方向に伸びる第２の仮想中心線に対して所定の傾斜角をなすとともに、上記帯状平板体部の長手方向の中央において上記第２の仮想中心線に直交する仮想線の両側となる部分が線対称となる位置関係に置かれ、全体が可撓性材料によって形成されるものとされる、互いに同形状の一対の部材を備え、
該一対の部材が、各々の上記帯状平板体部を互いに離隔させる状態をもって、各々の上記第１の端部平板体部同士または上記第１の端部平板体部と上記第２の端部平板体部とが上記長孔を一致させるべく重ね合わされるとともに、各々の上記第２の端部平板体部同士または上記第２の端部平板体部と上記第１の端部平板体部とが上記長孔を一致させるべく重ね合わされることにより組み立てられて、人頭部に装着される組立て体を形成する頭部装着具。
【請求項２】
上記長孔を一致させるべく重ね合わされた上記一対の部材の各々の上記第１の端部平板体部同士または上記第１の端部平板体部と上記第２の端部平板体部とが、各々の長孔を締結部材が挿通するものとされるとともに、上記長孔を一致させるべく重ね合わされた上記一対の部材の各々の上記第２の端部平板体部同士または上記第２の端部平板体部と上記第１の端部平板体部とが、各々の長孔を締結部材が挿通するものとされることを特徴とする請求項１記載の頭部装着具。
【請求項３】
上記一対の部材の夫々における上記第１の端部平板体部に嵌合孔が設けられるとともに上記第２の端部平板体部に上記嵌合孔に嵌合可能な嵌合突起が設けられ、上記一対の部材の一方における上記第１の端部平板体部に設けられた上記嵌合孔に上記一対の部材の他方における上記第２の端部平板体部に設けられた嵌合突起が嵌合せしめられて、上記一対の部材の一方における上記第１の端部平板体部と上記一対の部材の他方における上記第２の端部平板体部とが重ね合わされ、上記一対の部材の一方における上記第２の端部平板体部に設けられた上記嵌合突起が上記一対の部材の他方における上記第１の端部平板体部に設けられた嵌合孔に嵌合せしめられて、上記一対の部材の一方における上記第２の端部平板体部と上記一対の部材の他方における上記第１の端部平板体部とが重ね合わされることを特徴とする請求項１または請求項２記載の頭部装着具。
【請求項４】
上記一対の部材の夫々における上記第１の端部平板体部に複数の嵌合孔が設けられるとともに上記第２の端部平板体部に上記複数の嵌合孔に夫々嵌合可能な複数の嵌合突起が設けられることを特徴とする請求項３記載の頭部装着具。
【請求項５】
各々が、帯状平板体部と第１の方向に伸びる長孔が設けられて上記帯状平板体部の長手方向の両端部に夫々配された第１及び第２の端部平板体部とを有していて、該第１及び第２の端部平板体部の夫々における上記第１の方向に直交する第２の方向に伸びる第１の仮想中心線が、上記帯状平板体部の長手方向に伸びる第２の仮想中心線に対して所定の傾斜角をなすとともに、上記帯状平板体部の長手方向の中央において上記第２の仮想中心線に直交する仮想線の両側となる部分が線対称となる位置関係に置かれ、全体が可撓性材料によって形成されるものとされる、互いに同形状の一対の部材を用意し、
該一対の部材の夫々の上記第１の端部平板体部同士または上記第１の端部平板体部と上記第２の端部平板体部とを、上記一対の部材の夫々の上記帯状平板体部を互いに離隔させる状態をもって各々の上記長孔を一致させるべく重ね合わせ、
さらに、上記一対の部材の夫々の上記第２の端部平板体部同士または上記第２の端部平板体部と上記第１の端部平板体部とを、各々の上記長孔を一致させるべく重ね合わせて組み立てることにより、
人頭部に装着される組立て体を形成する頭部装着具を得る頭部装着具の製造方法。
【請求項６】
上記一対の部材の夫々を、上記第１の端部平板体部に嵌合孔が設けられるとともに上記第２の端部平板体部に上記嵌合孔に嵌合可能な嵌合突起が設けられるものとし、上記一対の部材の一方における上記第１の端部平板体部に設けられた上記嵌合孔に上記一対の部材の他方における上記第２の端部平板体部に設けられた嵌合突起を嵌合させて、上記一対の部材の一方における上記第１の端部平板体部と上記一対の部材の他方における上記第２の端部平板体部とを重ね合わせ、上記一対の部材の一方における上記第２の端部平板体部に設けられた上記嵌合突起を上記一対の部材の他方における上記第１の端部平板体部に設けられた嵌合孔に嵌合させて、上記一対の部材の一方における上記第２の端部平板体部と上記一対の部材の他方における上記第１の端部平板体部とを重ね合わせることを特徴とする請求項５記載の頭部装着具の製造方法。
【発明の詳細な説明】
【技術分野】
【０００１】
本願の特許請求の範囲に記載された発明は、使用者の人頭部に装着されて、例えば、当該使用者の顔面部に当接される鼾を防止するための顎当て具や防塵用のマスク等を支持する、頭部装着具及びその製造方法に関する。
【背景技術】
【０００２】
使用者の顔面部に当接されて使用される部材、例えば、鼾を抑制するための顎当て具や防塵または防毒用等とされるマスクを、使用者の顔面部に密着させるべく、当該使用者の人頭部に装着されて使用される頭部装着具が知られている。このような頭部装着具の一つとして、従来、例えば、図１６に示されるようなものが提案されている。
【０００３】
図１６に示される頭部装着具１は、一対の矩形状平板体部２と、各々の両端部が一対の矩形状平板体部２に夫々連結された第１及び第２の帯状平板体部３及び４とを備えている。第１の帯状平板体部３は、比較的大なる曲率半径を有した弧を描くように伸びて、一対の矩形状平板体部２を相互連結しており、また、第２の帯状平板体部４は、第１の帯状平板体部３より小なる曲率半径を有した弧を描くように伸びて、一対の矩形状平板体部２を相互連結している。
【０００４】
これらの一対の矩形状平板体部２と第１及び第２の帯状平板体部３及び４とは、例えば、樹脂成形により一体的に形成される。それにより、頭部装着具１は、可撓性材料によって形成された、全体として環状を成す平板状成形品とされる。
【０００５】
そして、一対の矩形状平板体部２の夫々には、例えば、ベルト部材とされる締結部材を係止するための複数の長孔７が設けられている。このような頭部装着具１が使用者の人頭部に装着される場合には、第１及び第２の帯状平板体部３及び４が湾曲せしめられて、第１の帯状平板体部３が、使用者の人頭部における頭頂部分を左右方向に伸びて配され、また、第２の帯状平板体部４が、第１の帯状平板体部３より後方において使用者の人頭部に配されて、一対の矩形状平板体部２が、使用者の顔面部の左右両側に夫々位置するものとされる。
【０００６】
このような頭部装着具１は、例えば、図１７に示されるような、使用者の顎に当てられて使用されるカップ状の顎当て具８を有した鼾防止装置１０に適用される。
【０００７】
図１７において、鼾防止装置１０に適用されて使用者の人頭部に装着された頭部装着具１は、第１の帯状平板体部３が、使用者の人頭部における頭頂部分に弧を描いて左右方向に伸びて配されるとともに、第２の帯状平板体部４が、第１の帯状平板体部３より後方において、使用者の人頭部に弧を描いて左右方向に伸びて配され、また、矩形状平板体部２が、使用者のこめかみ部分に位置するものとされる。矩形状平板体部２は、それに設けられた複数の長孔７に、ゴム等の弾性を有したベルト部材１１の一端側部分が挿通せしめられて、そのベルト部材１１を係止している（ベルト部材１１の他端側部分を係止する矩形状平板体部２は図にあらわれていない。）。斯かるベルト部材１１には、使用者の顎に当てられる顎当て具８が取り付けられており、使用者の人頭部に装着される頭部装着具１は、ベルト部材１１を介して顎当て具８を使用者の顎に密着させ、その顎当て具８と共に使用者の顎を固定して、人が発生する鼾を抑制する。
【０００８】
また、従来にあっては、防塵あるいは防毒用等とされるマスクを使用者の顔面部に密着させる頭部装着具として、上方帯部及び下方帯部とそれら上方帯部及び下方帯部を連結する一対の連結部とが一体的に形成されて得られる環状部材を成す樹脂成形品であって、使用者の人頭部に装着されるにあたり、使用者の人頭部に対する当たり具合を良好にすべく図られたものが提案されている。斯かる頭部装着具は、その環状部材における一対の連結部から夫々伸びてマスクが取り付けられる一対の側方帯部と共に、全体としてヘッドバンドを構成している（例えば、特許文献１参照。）。
【０００９】
斯かるヘッドバンドにあっては、頭部装着具とされる環状部材が使用者の人頭部に装着されると、上方帯部がマスクを使用する使用者の人頭部の頭頂部分に弧を描いて左右方向に伸びて配されるとともに、下方帯部が上方帯部より後方において当該使用者の人頭部に弧を描いて左右方向に伸びて配され、さらに、一対の連結部が使用者の頭部両側に位置するものとされる。マスクに取り付けられた一対の側方帯部の各々における端部は、環状部材における一対の連結部の夫々に設けられた長孔に挿通せしめられて係止されており、環状部材は、一対の側方帯部と共にマスクをその使用者の顔面部に密着させるものとされている。
【００１０】
そして、環状部材における上方帯部及び上方帯部の夫々が、その内面が幅方向（長手方向に直交する方向）に湾曲した曲面を成すものとされており、その曲面を使用者の人頭部の外周曲面に沿うようにすることにより、環状部材の使用者の人頭部に対する当たり具合を良好にすることが試みられている。
【００１１】
【特許文献１】特開２００２−３３１０４０号公報（第３頁、図１〜図４）
【発明の開示】
【発明が解決しようとする課題】
【００１２】
上述の図１６に示されるような、一対の矩形状平板体部２と第１及び第２の帯状平板体部３及び４とが、例えば、樹脂成形により一体的に形成されて得られる環状を成す平板状成形品とされる頭部装着具１は、その全体が平板状とされることにより、その成形に用いられる型の作成が容易とされ、それに加えて、成形が容易で、型からの抜きも容易なものとされるので、製造コストが嵩む事態が回避されることになる。しかしながら、このような頭部装着具１は、第１及び第２の帯状平板体部３及び４が湾曲せしめられて、使用者の人頭部に装着されるとき、図１８に示されるように、第１及び第２の帯状平板体部３及び４の夫々の内面が、第１及び第２の帯状平板体部３及び４の夫々の幅方向（長手方向に直交する方向）に伸びる仮想外周陵線Ａを有する仮想円筒面に沿うものとなる。そのため、頭部装着具１が、図１７に示されるように使用者の人頭部に装着されると、第１の帯状平板体部３の幅方向における後方側の角部３Ａが人頭部に当たるとともに、第２の帯状平板体部４の幅方向における前方側の角部４Ａが人頭部に当たることになって、頭部装着具１を装着した使用者に不快感を覚えさせる虞がある。
【００１３】
それに対し、上述の特許文献１に示されるヘッドバンドを構成する環状部材とされる頭部装着具の場合には、上方帯部と下方帯部との夫々における使用者の人頭部に当接する内面が、幅方向（長手方向に直交する方向）に湾曲した曲面を成すものとされており、その曲面が使用者の人頭部の外周曲面に馴染むように選定される。そのため、環状部材を形成する上方帯部及び下方帯部の夫々は、その幅方向における肉厚が均一とはされず、例えば、環状部材の外縁側から内縁側に向けて徐々に肉厚が薄くなるように形成されていて、それにより、使用者に不快感を覚えさせないようにする試みがなされている。
【００１４】
しかしながら、このような環状部材を成す樹脂成形品とされる頭部装着具にあっては、それを構成する上方帯部及び下方帯部の夫々が、その幅方向の肉厚が均一とされず、平板状をなさないものとされることになるので、頭部装着具の全体の成形に用いられる型の形状が複雑なものとされる。そのため、その型の作成が容易でなく、それに加えて、当該型を用いた成形及び成形品の型からの抜きが容易でないものとされるので、製造コストが嵩んでしまうという問題がある。
【００１５】
斯かる点に鑑み、本願の特許請求の範囲に記載された発明は、二つの帯状平板体部を有したもとで使用者の人頭部に装着されて用いられるものとされるにあたり、それら二つの帯状平板体部を含む全体が可撓性材料、例えば、型が用いられて樹脂材料により成形されるもとにあっても、製造コストが嵩む事態をまねくことがなく、しかも、二つの帯状平板体部が各々の幅方向における角部が使用者の人頭部に当たって使用者に不快感を覚えさせることになる事態を回避することができる頭部装着具、及び、その製造方法を提供する。
【課題を解決するための手段】
【００１６】
本願の特許請求の範囲における請求項１から請求項４までのいずれかに記載された発明に係る頭部装着具は、各々が、帯状平板体部と第１の方向に伸びる長孔が設けられて帯状平板体部の長手方向の両端部に夫々配された第１及び第２の端部平板体部とを有していて、第１及び第２の端部平板体部の夫々における第１の方向に直交する第２の方向に伸びる第１の仮想中心線が、帯状平板体部の長手方向に伸びる第２の仮想中心線に対して所定の傾斜角をなすとともに、帯状平板体部の長手方向の中央において第２の仮想中心線に直交する仮想線の両側となる部分が線対称となる位置関係に置かれ、全体が可撓性材料によって形成されるものとされる、互いに同形状の一対の部材を備え、それら一対の部材が、各々の帯状平板体部を互いに離隔させる状態をもって、各々の第１の端部平板体部同士または第１の端部平板体部と第２の端部平板体部とがそれらに設けられた長孔を一致させるべく重ね合わされるとともに、各々の第２の端部平板体部同士または第２の端部平板体部と第１の端部平板体部とがそれらに設けられた長孔を一致させるべく重ね合わされることにより組み立てられて、人頭部に装着される組立て体を形成するものとされる。
【００１７】
また、本願の特許請求の範囲における請求項５または請求項６に記載された発明に係る頭部装着具の製造方法は、各々が、帯状平板体部と第１の方向に伸びる長孔が設けられて帯状平板体部の長手方向の両端部に夫々配された第１及び第２の端部平板体部とを有していて、第１及び第２の端部平板体部の夫々における第１の方向に直交する第２の方向に伸びる第１の仮想中心線が、帯状平板体部の長手方向に伸びる第２の仮想中心線に対して所定の傾斜角をなすとともに、帯状平板体部の長手方向の中央において第２の仮想中心線に直交する仮想線の両側となる部分が線対称となる位置関係に置かれ、全体が可撓性材料によって形成されるものとされる、互いに同形状の一対の部材を用意し、それら一対の部材の夫々の第１の端部平板体部同士または第１の端部平板体部と第２の端部平板体部とを、一対の部材の夫々の帯状平板体部を互いに離隔させる状態をもって各々の長孔を一致させるべく重ね合わせ、さらに、一対の部材の夫々の第２の端部平板体部同士または第２の端部平板体部と第１の端部平板体部とを、各々の長孔を一致させるべく重ね合わせて組み立てることにより、人頭部に装着される組立て体を形成する。
【００１８】
上述のように構成される本願の特許請求の範囲における請求項１から請求項４までのいずれかに記載された発明に係る頭部装着具にあっては、互いに同形状とされる一対の部材の夫々が、帯状平板体部とその両端部に配された第１及び第２の端部平板体部とを有し、その全体が可撓性材料によって形成されたものとされる。そして一対の部材の各々は、第１及び第２の端部平板体部の夫々におけるそれに設けられた長孔が伸びる方向である第１の方向に直交する第２の方向に伸びる第１の仮想中心線が、帯状平板体部におけるその長手方向に伸びる第２の仮想中心線に対して所定の傾斜角をなすものとされており、いわば、第１及び第２の端部平板体部の夫々が帯状平板体部に対して傾いたものとされる。また、このような一対の部材の夫々は、帯状平板体部の長手方向の中央において第２の仮想中心線に直交する仮想線の両側となる部分が線対称となる位置関係に置かれた平板体とされる。
【００１９】
このようなもとで、一対の部材は、各々の帯状平板体部を互いに離隔させる状態をもって、各々の第１の端部平板体部同士または第１の端部平板体部と第２の端部平板体部とがそれらに設けられた長孔を一致させるべく重ね合わされるとともに、各々の第２の端部平板体部同士または第２の端部平板体部と第１の端部平板体部とがそれらに設けられた長孔を一致させるべく重ね合わされることにより、全体として環状を成す組立て体を形成する。
【００２０】
このような一対の部材により形成される環状を成す組立て体は、一対の部材の夫々における第１及び第２の端部平板体部が、各々の第１の仮想中心線が帯状平板体部の第２の仮想中心線に対して所定の傾斜角を成すものとして、帯状平板体部の長手方向の両端部に配されたものとされていることにより、一対の部材の夫々における帯状平板体部が上述の傾斜角に応じた撓みを持つものとされる立体的な環状体とされる。そして、この立体的な環状体は、一対の部材の夫々が帯状平板体部の中央において第２の仮想中心線に直交する仮想線の両側となる部分が線対称となる位置関係に置かれるものとされているので、その全体が、各帯状平板体部における第２の仮想中心線に直交する仮想線に関して線対称となる。
【００２１】
それにより、一対の部材により形成される立体的な環状体は、人頭部に装着されるときには、例えば、一対の部材のうちの一方における帯状平板体部が人頭部の頭頂部分に弧を描いて左右方向に伸びるものとして配されるとともに、一対の部材のうちの他方における帯状平板体部が、第１の部材における帯状平板体部より後方において人頭部に弧を描いて左右方向に伸びるものとして配される。その際、一対の部材の夫々における帯状平板体部の内面が、各帯状平板体部の長手方向に直交する方向である幅方向において、所定の角度をなしてハ字状に相互対向するものとして、幅方向における角部が当たるのではなく、全体的に人頭部に当接する状態に置かれる。
【００２２】
また、本願の特許請求の範囲における請求項５または請求項６に記載された発明に係る頭部装着具の製造方法にあっては、夫々が、帯状平板体部とその両端部に配された第１及び第２の端部平板体部とを有していて、第１及び第２の端部平板体部の夫々におけるそれに設けられた長孔が伸びる方向である第１の方向に直交する第２の方向に伸びる第１の仮想中心線が、帯状平板体部におけるその長手方向に伸びる第２の仮想中心線に対して所定の傾斜角をなすとともに、帯状平板体部の長手方向の中央における第２の仮想中心線に直交する仮想線の両側となる部分が線対称の関係に置かれた平板体とされる、互いに同形状の一対の部材について、各々の帯状平板体部を互いに離隔させる状態をもって、各々の第１の端部平板体部同士または第１の端部平板体部と第２の端部平板体部とがそれらに設けられた長孔を一致させるべく重ね合わせるとともに、各々の第２の端部平板体部同士または第２の端部平板体部と第１の端部平板体部とがそれらに設けられた長孔を一致させるべく重ね合わされることにより、全体として環状を成す組立て体を形成する。
【００２３】
このようにして形成される組立て体は、一対の部材の夫々における第１及び第２の端部平板体部が、各々の第１の仮想中心線が帯状平板体部の第２の仮想中心線に対して所定の傾斜角を成すものとして、帯状平板体部の長手方向の両端部に配されたものとされていることにより、一対の部材の夫々における帯状平板体部が上述の傾斜角に応じた撓みを持つものとされる立体的な環状体であって、上述の本願の特許請求の範囲における請求項１から請求項４までのいずれかに記載された発明に係る頭部装着具となる。
【発明の効果】
【００２４】
本願の特許請求の範囲における請求項１から請求項４までのいずれかに記載された発明に係る頭部装着具にあっては、それを立体的な環状体として構成する、各々が帯状平板体部とその長手方向の両端部に夫々配された第１及び第２の端部平板体部とを有するものとされる一対の部材が、互いに同形状とされる平板体を成すものとされる。それゆえ、本願の特許請求の範囲における請求項１から請求項４までのいずれかに記載された発明に係る頭部装着具は、上述のような一対の部材が、例えば、型が用いられて樹脂材料により成形されるもとにあっても、成形に用いられる型が一つで足りることに加えて、その型の作成が容易とされ、それに加えて、成形が容易で、成形品の型からの抜きも容易なものとされるので、製造コストが嵩む事態が回避されることになるものとされる。
【００２５】
しかも、一対の部材により形成される立体的な環状体は、人頭部に装着されるときには、一対の部材の夫々における帯状平板体部の内面が、各帯状平板体部の長手方向に直交する方向である幅方向において、所定の角度をなしてハ字状に相互対向するものとして、幅方向における角部が当たるのではなく、全体的に人頭部に当接する状態に置かれる。従って、本願の特許請求の範囲における請求項１から請求項４までのいずれかに記載された発明に係る頭部装着具によれば、それを構成する帯状平板体部がその幅方向における角部が使用者の人頭部に当たって使用者に不快感を覚えさせることになる事態が、確実に回避される。
【００２６】
また、本願の特許請求の範囲における請求項５または請求項６に記載された発明に係る頭部装着具の製造方法にあっては、各々が帯状平板体部とその長手方向の両端部に夫々配された第１及び第２の端部平板体部とを有し、互いに同形状とされる平板体を成すものとされた一対の部材について、それらの各々の帯状平板体部を互いに離隔させる状態をもって、各々の第１の端部平板体部同士または第１の端部平板体部と第２の端部平板体部とがそれらに設けられた長孔を一致させるべく重ね合わせるとともに、各々の第２の端部平板体部同士または第２の端部平板体部と第１の端部平板体部とがそれらに設けられた長孔を一致させるべく重ね合わせるという比較的簡単な作業によって、全体として環状を成す組立て体とされる上述の本願の特許請求の範囲における請求項１から請求項４までのいずれかに記載された発明に係る頭部装着具が得られる。
【００２７】
各々が帯状平板体部とその長手方向の両端部に夫々配された第１及び第２の端部平板体部とを有し、互いに同形状とされる平板体を成すものとされた一対の部材は、上述のように、製造コストが嵩む事態が回避されるもとで用意されるものである。従って、本願の特許請求の範囲における請求項５または請求項６に記載された発明に係る頭部装着具の製造方法によれば、全体として環状を成す組立て体とされる本願の特許請求の範囲における請求項１から請求項４までのいずれかに記載された発明に係る頭部装着具を、低コストをもって、複雑な作業工程を要することなく、極めて簡単に製造することができることになる。
【発明を実施するための最良の形態】
【００２８】
本願の特許請求の範囲における請求項１から請求項４までのいずれかに記載された発明、及び、本願の特許請求の範囲における請求項５または請求項６に記載された発明を実施するための最良の形態は、以下に述べられる、本願の特許請求の範囲における請求項１から請求項４までのいずれかに記載された発明、及び、本願の特許請求の範囲における請求項５または請求項６に記載された発明についての実施例をもって説明される。
【実施例１】
【００２９】
図２は、本願の特許請求の範囲における請求項５または請求項６に記載された発明に係る頭部装着具の製造方法の一例によって製造される、本願の特許請求の範囲における請求項１から請求項４までのいずれかに記載された発明に係る頭部装着具の一例（実施例１）に用いられる平板体を成す部材を示す。
【００３０】
図２に示される平板体を成す部材である平板状部材２０は、略直線状に伸びる帯状平板体部２１と、その帯状平板体部２１の長手方向の両端部に夫々配された、例えば、各々が長方形状とされた二つの端部平板体部２３及び２４とを有している。このような帯状平板体部２１と端部平板体部２３及び２４とを有した平板状部材２０は、例えば、型が用いられる成形手法が採られたもとで、樹脂材料とされる可撓性材料によって一体的に形成され、全体として平板体を成すものとされて得られる。
【００３１】
端部平板体部２３は、その幅方向（短辺に沿う方向）に沿って伸びる複数の長孔２５が、幅方向に直交する方向に配列配置されて設けられたものとされており、端部平板体部２４は、その幅方向（短辺に沿う方向）に沿って伸びる複数の長孔２６が、幅方向に直交する方向に配列配置されて設けられたものとされている。さらに、端部平板体部２３には、各々が比較的小なる径寸法を有するものとされた二つの嵌合孔２７が係止部を成すものとして設けられており、端部平板体部２４には、各々が嵌合孔２７に嵌合し得る寸法を有するものとされた二つの嵌合突起２８が係止部を成すものとして設けられている。
【００３２】
端部平板体部２３に設けられた二つの嵌合孔２７は、端部平板体部２３における、複数の長孔２５の夫々が伸びる方向である幅方向に直交する方向に伸びる仮想中心線２３Ａ上の、配列配置されて設けられた複数の長孔２５を挟む位置に配されている。図３は、端部平板体部２３の仮想中心線２３Ａに沿った断面を示しており、それにより、複数の長孔２５及び二つの嵌合孔２７の配置状況が明瞭にされている。
【００３３】
また、端部平板体部２４に設けられた二つの嵌合突起２８は、端部平板体部２４における、複数の長孔２６の夫々が伸びる方向である幅方向に直交する方向に伸びる仮想中心線２４Ａ上の、配列配置されて設けられた複数の長孔２６を挟む位置に配されている。図４は、端部平板体部２４の仮想中心線２４Ａに沿った断面を示しており、それにより、複数の長孔２６及び二つの嵌合突起２８の配置状況が明瞭にされている。
【００３４】
端部平板体部２３における仮想中心線２３Ａは、帯状平板体部２１の長手方向に伸びる仮想中心線２１Ａに対して、例えば、約２０度に選定される所定の傾斜角αをなし、また、端部平板体部２４における仮想中心線２４Ａも、帯状平板体部２１の長手方向に伸びる仮想中心線２１Ａに対して、例えば、約２０度に選定される所定の傾斜角αをなすものとされる。それにより、端部平板体部２３及び端部平板体部２４の夫々は、帯状平板体部２１に対して、所謂、反対方向に傾いたものとなっている。
【００３５】
帯状平板体部２１は、その両端部を除いて、全体に亙って均一な幅方向（仮想中心線２１Ａに直交する方向）の寸法を有しており、また、端部平板体部２３と端部平板体部２４とは、各々の外形形状及び寸法が実質的に同一とされ、また、端部平板体部２３に設けられた複数の長孔２５と端部平板体部２４に設けられた複数の長孔２６とは、互いに対応するものが寸法を実質的に同一としている。従って、帯状平板体部２１と端部平板体部２３及び２４とを有した平板状部材２０は、端部平板体部２３に嵌合孔２７が設けられて端部平板体部２４に嵌合突起２８が設けられているという相違はあるが、帯状平板体部２１の長手方向の中央部において仮想中心線２１Ａに直交する仮想線２１Ｂの両側となる部分が線対称となる位置関係に置かれていることになる。
【００３６】
本願の特許請求の範囲における請求項１から請求項４までのいずれかに記載された発明に係る頭部装着具の一例は、上述の図２〜図４に示される平板状部材２０が２個用いられて構成され、本願の特許請求の範囲における請求項５または請求項６に記載された発明に係る頭部装着具の製造方法の一例に従って、以下のようにして形成される。
【００３７】
先ず、図２〜図４に示される平板状部材２０が一対用意される。これら一対の平板状部材２０は、勿論互いに同形状のものとされる。
【００３８】
次に、図５に示されるように、用意された一対の平板状部材２０のうちの一方（説明の都合上、平板状部材２０Ａとする。）における端部平板体部２３を、用意された一対の平板状部材２０のうちの他方（説明の都合上、平板状部材２０Ｂとする。）における端部平板体部２４に重ね合わせる。このとき、平板状部材２０Ａにおける帯状平板体部２１と平板状部材２０Ｂにおける帯状平板体部２１とを互いに離隔させる状態とするとともに、平板状部材２０Ａにおける端部平板体部２３に設けられた複数の長孔２５と平板状部材２０Ｂにおける端部平板体部２４に設けられた複数の長孔２６とを一致させ、平板状部材２０Ａにおける端部平板体部２３に設けられた二つの嵌合孔２７に平板状部材２０Ｂにおける端部平板体部２４に設けられた二つの嵌合突起２８を夫々嵌合させる。
【００３９】
続いて、図６に示されるように、平板状部材２０Ａにおける端部平板体部２４に平板状部材２０Ｂにおける端部平板体部２３を重ね合わせる。斯かる際にも、平板状部材２０Ａにおける帯状平板体部２１と平板状部材２０Ｂにおける帯状平板体部２１とを互いに離隔させる状態とするとともに、平板状部材２０Ａにおける端部平板体部２４に設けられた複数の長孔２５と平板状部材２０Ｂにおける端部平板体部２３に設けられた複数の長孔２５とを一致させ、平板状部材２０Ａにおける端部平板体部２４に設けられた二つの嵌合突起２８を平板状部材２０Ｂにおける端部平板体部２３に設けられた二つの嵌合孔２７に夫々嵌合させる。
【００４０】
それにより、図６に示されるように、平板状部材２０Ａにおける帯状平板体部２１が、平板状部材２０Ａにおける端部平板体部２３の仮想中心線２３Ａ及び端部平板体部２４の仮想中心線２４Ａの夫々が帯状平板体部２１の仮想中心線２１Ａに対してなす傾斜角αに応じた撓みを持つものとされるとともに、平板状部材２０Ｂにおける帯状平板体部２１が、平板状部材２０Ｂにおける端部平板体部２３の仮想中心線２３Ａ及び端部平板体部２４の仮想中心線２４Ａの夫々が帯状平板体部２１の仮想中心線２１Ａに対してなす傾斜角αに応じた撓みを持つものとされて、全体として立体的な環状体とされる組立て体３０が形成される。このようにして得られる組立て体３０が、本願の特許請求の範囲における請求項１から請求項４までのいずれかに記載された発明に係る頭部装着具の一例を成す。
【００４１】
従って、本願の特許請求の範囲における請求項１から請求項４までのいずれかに記載された発明に係る頭部装着具の一例を成す組立て体３０は、一対の平板状部材２０である平板状部材２０Ａと平板状部材２０Ｂとを備え、平板状部材２０Ａと平板状部材２０Ｂとが、平板状部材２０Ａにおける帯状平板体部２１と平板状部材２０Ｂにおける帯状平板体部２１とを互いに離隔させる状態をもって、平板状部材２０Ａにおける端部平板体部２３と平板状部材２０Ｂにおける端部平板体部２４とが、平板状部材２０Ａにおける端部平板体部２３に設けられた複数の長孔２５と平板状部材２０Ｂにおける端部平板体部２４に設けられた複数の長孔２６とを一致させ、平板状部材２０Ａにおける端部平板体部２３に設けられた二つの嵌合孔２７に平板状部材２０Ｂにおける端部平板体部２４に設けられた二つの嵌合突起２８を夫々嵌合させて、重ね合わされるとともに、平板状部材２０Ａにおける端部平板体部２４と平板状部材２０Ｂにおける端部平板体部２３とが、平板状部材２０Ａにおける端部平板体部２４に設けられた複数の長孔２６と平板状部材２０Ｂにおける端部平板体部２３に設けられた複数の長孔２５とを一致させ、平板状部材２０Ａにおける端部平板体部２４に設けられた二つの嵌合突起２８を平板状部材２０Ｂにおける端部平板体部２３に設けられた二つの嵌合孔２７に夫々嵌合させて、重ね合わされることにより、組み立てられるものとなる。
【００４２】
上述のようにして製造される、本願の特許請求の範囲における請求項１から請求項４までのいずれかに記載された発明に係る頭部装着具の一例を成す組立て体３０は、図１に示されるように、平板状部材２０Ａにおける帯状平板体部２１と平板状部材２０Ｂにおける帯状平板体部２１との両者が湾曲せしめられて、使用者の人頭部に装着されるものとされる。このように、使用者の人頭部に装着されるべく湾曲せしめられる平板状部材２０Ａにおける帯状平板体部２１及び平板状部材２０Ｂにおける帯状平板体部２１の両者は、夫々、平板状部材２０Ａにおける端部平板体部２３の仮想中心線２３Ａ及び端部平板体部２４の仮想中心線２４Ａの夫々が帯状平板体部２１の仮想中心線２１Ａに対してなす傾斜角α、及び、平板状部材２０Ｂにおける端部平板体部２３の仮想中心線２３Ａ及び端部平板体部２４の仮想中心線２４Ａの夫々が帯状平板体部２１の仮想中心線２１Ａに対してなす傾斜角αに応じた撓みを持つものとされているので、図７に示されるように、各々の内面が、各帯状平板体部２１の幅方向（仮想線２１Ｂの方向）において、所定の角度をなしてハ字状に相互対向するものとなる。
【００４３】
それにより、使用者の人頭部に装着された組立て体３０においては、平板状部材２０Ａにおける帯状平板体部２１及び平板状部材２０Ｂにおける帯状平板体部２１の夫々が、幅方向における角部が使用者の人頭部に当たるのではなく、全体的に使用者の人頭部に当接する状態に置かれる。従って、平板状部材２０Ａにおける帯状平板体部２１もしくは平板状部材２０Ｂにおける帯状平板体部２１の幅方向における角部が使用者の人頭部に当たって、使用者に不快感を覚えさせることになる事態が、確実に回避される。
【００４４】
上述の組立て体３０にあっては、平板状部材２０Ａ及び平板状部材２０Ｂの夫々における帯状平板体部２１が、略直線状に伸びるものとされているが、帯状平板体部２１は、略折線状あるいは曲線状に伸びるものとされてもよい。
【００４５】
また、上述の組立て体３０にあっては、平板状部材２０Ａ及び平板状部材２０Ｂの夫々における端部平板体部２３及び端部平板体部２４が、係止部を形成するものとして、二つの嵌合孔２７及び二つの嵌合突起２８が夫々設けられるものとされているが、平板状部材２０Ａ及び平板状部材２０Ｂの夫々における端部平板体部２３及び端部平板体部２４は、係止部を形成するものとして、三つ以上もしくは一つの嵌合孔及び三つ以上もしくは一つの嵌合突起が係止部として夫々設けられるものとされてもよく、さらには、係止部を形成するものとしての嵌合孔及び嵌合突起が設けらないものとされてもよい。
【００４６】
そして、平板状部材２０Ａ及び平板状部材２０Ｂの夫々における端部平板体部２３及び端部平板体部２４が、係止部を形成するものとしての嵌合孔及び嵌合突起が設けらないものとされる場合には、平板状部材２０Ａ及び平板状部材２０Ｂが用いられて本願の特許請求の範囲における請求項１から請求項４までのいずれかに記載された発明に係る頭部装着具の一例を成す組立て体３０が形成されるにあたり、平板状部材２０Ａと平板状部材２０Ｂとが、平板状部材２０Ａにおける帯状平板体部２１と平板状部材２０Ｂにおける帯状平板体部２１とを互いに離隔させる状態をもって、平板状部材２０Ａにおける端部平板体部２３と平板状部材２０Ｂにおける端部平板体部２４とが、平板状部材２０Ａにおける端部平板体部２３に設けられた複数の長孔２５と平板状部材２０Ｂにおける端部平板体部２４に設けられた複数の長孔２６とを一致させるべく重ね合わされるとともに、平板状部材２０Ａにおける端部平板体部２４と平板状部材２０Ｂにおける端部平板体部２３とが、平板状部材２０Ａにおける端部平板体部２４に設けられた複数の長孔２６と平板状部材２０Ｂにおける端部平板体部２３に設けられた複数の長孔２５とを一致させるべく重ね合わされることにより組み立てられるものとされるだけでなく、平板状部材２０Ａにおける帯状平板体部２１と平板状部材２０Ｂにおける帯状平板体部２１とを互いに離隔させる状態をもって、平板状部材２０Ａと平板状部材２０Ｂとにおける端部平板体部２３同士が、両者に夫々設けられた複数の長孔２５を一致させるべく重ね合わされるとともに、平板状部材２０Ａと平板状部材２０Ｂとにおける端部平板体部２４同士が、両者に設けられた複数の長孔２６を一致させるべく重ね合わされることにより組み立てられるものとされてもよい。
【００４７】
一対の平板状部材２０である平板状部材２０Ａと平板状部材２０Ｂとにより形成される組立て体３０は、例えば、図８に示される如くの、カップ状の顎当て具４０を備えた鼾防止装置４１に適用される。図８において、顎当て具４０は、ゴム等の弾性を有した締結部材４２における中央部分に配されたものとされている。締結部材４２は、その両端側部分の夫々が、組立て体３０を構成する平板状部材２０Ａ及び平板状部材２０Ｂにおける、重ね合わされた端部平板体部２３と端部平板体部２４とに夫々設けられた複数の長孔２５と複数の長孔２６とを挿通せしめられて、長さ調整可能に係止されている。
【００４８】
鼾防止装置４１は、図９に示されるように、組立て体３０が、それにおける平板状部材２０Ａにおける帯状平板体部２１と平板状部材２０Ｂにおける帯状平板体部２１との両者が湾曲せしめられて使用者の人頭部に装着されるとともに、顎当て具４０が使用者の顎に当てられて使用される。使用者の人頭部に装着された組立て体３０は、平板状部材２０Ａにおける帯状平板体部２１が、弧を描いて人頭部の頭頂部分に左右方向に伸びて配されるとともに、平板状部材２０Ｂにおける帯状平板体部２１が、平板状部材２０Ａにおける帯状平板体部２１より後方側において弧を描いて人頭部に左右方向に伸びて配されるものとされる。斯かる組立て体３０は、それが係止する締結部材４２を通じて、顎当て具４０に、使用者の顎を確実に固定する状態をとらせる。それにより、鼾防止装置４１に備えられた組立て体３０を人頭部に装着した使用者が鼾を生じる事態が効果的に抑制される。
【００４９】
このように平板状部材２０Ａにおける帯状平板体部２１と平板状部材２０Ｂにおける帯状平板体部２１との両者が湾曲せしめられて使用者のの頭部に装着される組立て体３０にあっては、弧を描いて使用者の人頭部に左右方向に伸びて配される平板状部材２０Ａにおける帯状平板体部２１と平板状部材２０Ｂにおける帯状平板体部２１の夫々における内面が、各帯状平板体部２１の幅方向において、所定の角度をなしてハ字状に相互対向するものとされて、幅方向における角部が使用者の人頭部に当たるのではなく、全体的に使用者の人頭部に当接する状態に置かれる。従って、組立て体３０は、それを装着した使用者に不快感を覚えさせないものとされる。
【００５０】
図１０は、図８に示される鼾防止装置４１における顎当て具４０が、それとは構成が異なる顎当て具４３に置き換えられ、さらに、締結部材４２が２本の締結部材４４に置き換えられたものに相当する、上述の組立て体３０が用いられて構成された鼾防止装置４５を示す。
【００５１】
図１０に示される鼾防止装置４５は、組立て体３０と、顎当て具４３と、２本の締結部材４４とを有している。顎当て具４３は、互いに同形状とされた一対の平板状部材４６が用いられて形成されている。平板状部材４６の夫々は、図１１に示されるように、図２に示される平板状部材２０における帯状平板体部２１と同様なものとされるも、帯状平板体部２１より長さが小とされた帯状平板体部４７と、その長手方向の両端部に夫々配された、図２にあらわされる平板状部材２０における端部平板体部２３及び端部平板体部２４と同様なものとされる端部平板体部４８及び端部平板体部４９とを有していて、図２に示される平板状部材２０と略同様の構成をとる平板体を成すものとされている。
【００５２】
端部平板体部４８は、その幅方向（短辺に沿う方向）に沿って伸びる複数の長孔５０が、幅方向に直交する方向に配列配置されて設けられたものとされており、端部平板体部４９は、その幅方向（短辺に沿う方向）に沿って伸びる複数の長孔５１が、幅方向に直交する方向に配列配置されて設けられたものとされている。さらに、端部平板体部４８には、各々が比較的小なる径寸法を有するものとされた二つの嵌合孔５２が係止部を成すものとして設けられており、端部平板体部４９には、各々が嵌合孔５２に嵌合し得る寸法を有するものとされた二つの嵌合突起５３が係止部を成すものとして設けられている。
【００５３】
端部平板体部４８に設けられた二つの嵌合孔５２は、端部平板体部４８における、複数の長孔５０の夫々が伸びる方向である幅方向に直交する方向に伸びる仮想中心線４８Ａ上の、配列配置されて設けられた複数の長孔５０を挟む位置に配されている。また、端部平板体部４９に設けられた二つの嵌合突起５３は、端部平板体部４９における、複数の長孔５１の夫々が伸びる方向である幅方向に直交する方向に伸びる仮想中心線４９Ａ上の、配列配置されて設けられた複数の長孔５１を挟む位置に配されている。
【００５４】
端部平板体部４８における仮想中心線４８Ａは、帯状平板体部４７の長手方向に伸びる仮想中心線４７Ａに対して、例えば、約３０度に選定される所定の傾斜角βをなし、また、端部平板体部４９における仮想中心線４９Ａも、帯状平板体部４７の長手方向に伸びる仮想中心線４７Ａに対して、例えば、約３０度に選定される所定の傾斜角βをなすものとされる。それにより、端部平板体部４８及び端部平板体部４９の夫々は、帯状平板体部４７対して、所謂、反対方向に傾いたものとなっている。
【００５５】
帯状平板体部４７は、その両端部を除いて、全体に亙って均一な幅方向（仮想中心線４７Ａに直交する方向）の寸法を有しており、また、端部平板体部４８と端部平板体部４９とは、各々の外形形状及び寸法が実質的に同一とされ、また、端部平板体部４８に設けられた複数の長孔５０と端部平板体部４９に設けられた複数の長孔５１とは、互いに対応するものが寸法を実質的に同一としている。従って、帯状平板体部４７と端部平板体部４８及び４９とを有した平板状部材４６は、端部平板体部４８に嵌合孔５２が設けられて端部平板体部４９に嵌合突起５３が設けられているという相違はあるが、帯状平板体部４７の長手方向の中央部において仮想中心線４７Ａに直交する仮想線４７Ｂの両側となる部分が線対称となる位置関係に置かれていることになる。
【００５６】
このような互いに同形状とされた一対の平板状部材４６が用いられて、顎当て部４３が形成されにあたっては、先ず、図１２に示されるように、用意された一対の平板状部材４６のうちの一方（説明の都合上、平板状部材４６Ａとする。）における端部平板体部４８を、用意された一対の平板状部材４６のうちの他方（説明の都合上、平板状部材４６Ｂとする。）における端部平板体部４９に重ね合わせる。このとき、平板状部材４６Ａにおける帯状平板体部４７と平板状部材４６Ｂにおける帯状平板体部４７とを互いに離隔させる状態とするとともに、平板状部材４６Ａにおける端部平板体部４８に設けられた複数の長孔５０と平板状部材４６Ｂにおける端部平板体部４９に設けられた複数の長孔５１とを一致させ、平板状部材４６Ａにおける端部平板体部４８に設けられた二つの嵌合孔５２に平板状部材４６Ｂにおける端部平板体部４９に設けられた二つの嵌合突起５３を夫々嵌合させる。
【００５７】
続いて、平板状部材４６Ａにおける端部平板体部４９に平板状部材４６Ｂにおける端部平板体部４８を重ね合わせる。斯かる際にも、平板状部材４６Ａにおける帯状平板体部４７と平板状部材４６Ｂにおける帯状平板体部４７とを互いに離隔させる状態とするとともに、平板状部材４６Ａにおける端部平板体部４９に設けられた複数の長孔５１と平板状部材４６Ｂにおける端部平板体部４８に設けられた複数の長孔５０とを一致させ、平板状部材４６Ａにおける端部平板体部４９に設けられた二つの嵌合突起５３を平板状部材４６Ｂにおける端部平板体部４８に設けられた二つの嵌合孔５２に夫々嵌合させる。
【００５８】
それにより、平板状部材４６Ａにおける帯状平板体部４７が、平板状部材４６Ａにおける端部平板体部４８の仮想中心線４８Ａ及び端部平板体部４９の仮想中心線４９Ａの夫々が帯状平板体部４７の仮想中心線４７Ａに対してなす傾斜角βに応じた撓みを持つものとされるとともに、平板状部材４６Ｂにおける帯状平板体部４７が、平板状部材４６Ｂにおける端部平板体部４８の仮想中心線４８Ａ及び端部平板体部４９の仮想中心線４９Ａの夫々が帯状平板体部４７の仮想中心線４７Ａに対してなす傾斜角βに応じた撓みを持つものとされて、全体として立体的な環状体とされる組立て体が形成される。このようにして得られる組立て体が、顎当て具４３とされる。
【００５９】
そして、上述の組立て体として得られる顎当て具４３は、平板状部材４６Ａにおける帯状平板体部４７及び平板状部材４６Ｂにおける帯状平板体部４７が湾曲せしめられて、使用者の顎に当接されるものとされる。
【００６０】
組立て体３０と顎当て具４３とは、図１０に示される如くに、ゴム等の弾性を有した２本の締結部材４４が用いられて連結される。２本の締結部材４４の一方は、その一方の端部側が、組立て体３０における平板状部材２０Ａの端部平板体部２３に設けられた複数の長孔２５と平板状部材２０Ｂの端部平板体部２４に設けられた複数の長孔２６とに挿通せしめられて、組立て体３０に長さ調整可能に係止されており、また、その他方の端部側が、顎当て具４３における平板状部材４６Ａの端部平板体部４８に設けられた複数の長孔５０と平板状部材４６Ｂの端部平板体部４９に設けられた複数の長孔５１とに挿通せしめられて、顎当て具４３に長さ調整可能に係止されている。さらに、２本の締結部材４４の他方は、その一方の端部側が、組立て体３０における平板状部材２０Ａの端部平板体部２４に設けられた複数の長孔２６と平板状部材２０Ｂの端部平板体部２３に設けられた複数の長孔２５とに挿通せしめられて、組立て体３０に長さ調整可能に係止されており、また、その他方の端部側が、顎当て具４３における平板状部材４６Ａの端部平板体部４９に設けられた複数の長孔５１と平板状部材４６Ｂの端部平板体部４８に設けられた複数の長孔５０とに挿通せしめられて、顎当て具４３に長さ調整可能に係止されている。
【００６１】
鼾防止装置４５は、図１３に示されるように、組立て体３０が、平板状部材２０Ａにおける帯状平板体部２１及び平板状部材２０Ｂにおける帯状平板体部２１が湾曲せしめられて使用者の人頭部に装着されるとともに、顎当て具４３が、平板状部材４６Ａにおける帯状平板体部４７及び平板状部材４７Ｂにおける帯状平板体部４７が湾曲せしめられて使用者の顎に当接される状態とされて、使用される。使用者の人頭部に装着される組立て体３０は、平板状部材２０Ａにおける帯状平板体部２１が、弧を描いて人頭部の頭頂部分に左右方向に伸びて配されるとともに、平板状部材２０Ｂにおける帯状平板体部２１が、平板状部材２０Ａにおける帯状平板体部２１より後方側において弧を描いて人頭部に左右方向に伸びて配されるものとされる。また、使用者の顎に装着される顎当て具４３は、平板状部材４６Ａにおける帯状平板体部４７が平板状部材４６Ｂにおける帯状平板体部４７より後部側の位置をとるものとされて、使用者の顎を支えるものとされる。そして、組立て体３０は、それが係止する２本の締結部材４４を通じて、顎当て具４３に、使用者の顎を確実に固定する状態をとらせる。
【００６２】
斯かる鼾防止装置４５に適用された組立て体３０も、前述の鼾防止装置４１に適用された場合と同様の作用効果が得られるものとされる。また、顎当て具４３も、それを装着した使用者に不快感を覚えさせる事態をまねかない。
【００６３】
そして、顎当て具４３を構成する平板状部材４６Ａ及び平板状部材４６Ｂの夫々も、同形状を有して、平板体を成す成形品とされることにより、成形されるにあたって必要とされる型が一つで済み、しかも、その型が作成が容易とされ、それに加えて、成形が容易で、整形品の型からの抜きも容易なものとされるので、製造コストが嵩む事態が回避されることになる。
【００６４】
なお、上述の例において、平板状部材２０Ａ及び平板状部材２０Ｂの夫々における端部平板体部２３及び端部平板体部２４の各々は、その形状が長方形状とされているが、それに限られることなく、任意の形状とされ得るものである。
【実施例２】
【００６５】
図１４は、本願の特許請求の範囲における請求項５または請求項６に記載された発明に係る頭部装着具の製造方法の一例によって製造される、本願の特許請求の範囲における請求項１から請求項４までのいずれかに記載された発明に係る頭部装着具の他の例（実施例２）に用いられる平板体を成す部材を示す。
【００６６】
図１４に示される平板体を成す部材である平板状部材６０は、略直線状に伸びる帯状平板体部６１と、その帯状平板体部６１の長手方向の両端部に夫々配された、例えば、各々が円形状とされた二つの端部平板体部６３及び６４とを有している。このような略直線状に伸びる帯状平板体部６１と各々が円形状とされた端部平板体部６３及び６４とを有した平板状部材６０は、例えば、型が用いられる成形手法が採られたもとで、樹脂材料とされる可撓性材料によって一体的に形成され、全体として平板体を成すものとされて得られる。
【００６７】
端部平板体部６３は、互いに平行なものとして所定の方向に伸びる複数の長孔６５が設けられたものとされており、端部平板体部６４は、互いに平行なものとして複数の長孔６５が伸びる方向とは異なる方向に伸びる複数の長孔６６が設けられたものとされている。さらに、端部平板体部６３には、各々が比較的小なる径寸法を有するものとされた二つの嵌合孔６７が係止部を成すものとして設けられており、端部平板体部６４には、各々が嵌合孔６７に嵌合し得る寸法を有するものとされた二つの嵌合突起６８が係止部を成すものとして設けられている。
【００６８】
端部平板体部６３に設けられた二つの嵌合孔６７は、端部平板体部６３における、複数の長孔６５の夫々が伸びる方向に直交する方向に伸びる仮想中心線６３Ａ上の、互いに平行に設けられた複数の長孔６５を挟む位置に配されている。また、端部平板体部６４に設けられた二つの嵌合突起６８は、端部平板体部６４における、複数の長孔６６の夫々が伸びる方向に直交する方向に伸びる仮想中心線６４Ａ上の、互いに平行に設けられた複数の長孔６６を挟む位置に配されている。
【００６９】
端部平板体部６３における仮想中心線６３Ａは、帯状平板体部６１の長手方向に伸びる仮想中心線６１Ａに対して、例えば、約２０度に選定される所定の傾斜角αをなし、また、端部平板体部６４における仮想中心線６４Ａも、帯状平板体部６１の長手方向に伸びる仮想中心線６１Ａに対して、例えば、約２０度に選定される所定の傾斜角αをなすものとされる。それにより、端部平板体部６３及び端部平板体部６４の夫々は、帯状平板体部６１に対して、所謂、反対方向に傾いたものとなっている。
【００７０】
帯状平板体部６１は、その両端部を除いて、全体に亙って均一な幅方向（仮想中心線６１Ａに直交する方向）の寸法を有しており、また、端部平板体部６３と端部平板体部６４とは、各々の外形形状及び寸法が実質的に同一とされ、また、端部平板体部６３に設けられた複数の長孔６５と端部平板体部６４に設けられた複数の長孔６６とは、互いに対応するものが寸法を実質的に同一としている。従って、帯状平板体部６１と端部平板体部６３及び６４とを有した平板状部材６０は、端部平板体部６３に嵌合孔６７が設けられて端部平板体部６４に嵌合突起６８が設けられているという相違はあるが、帯状平板体部６１の長手方向の中央部において仮想中心線６１Ａに直交する仮想線６１Ｂの両側となる部分が線対称となる位置関係に置かれていることになる。
【００７１】
本願の特許請求の範囲における請求項１から請求項４までのいずれかに記載された発明に係る頭部装着具の他の例（実施例２）は、上述の図１４に示される平板状部材６０が２個用いられて、前述の本願の特許請求の範囲における請求項１から請求項４までのいずれかに記載された発明に係る頭部装着具の一例（実施例１）と同様に構成される。そして、その製造にあたっては、前述の本願の特許請求の範囲における請求項５または請求項６に記載された発明に係る頭部装着具の製造方法の一例に従って、前述の本願の特許請求の範囲における請求項１から請求項４までのいずれかに記載された発明に係る頭部装着具の一例（実施例１）の場合と同様に形成される。
【００７２】
なお、図１４に示される平板状部材６０にあっては、帯状平板体部６１が略直線状に伸びるものとされているが、帯状平板体部６１は、略折線状あるいは曲線状に伸びるものとされてもよい。
【００７３】
また、図１４に示される平板状部材６０にあっては、端部平板体部６３及び端部平板体部６４が、係止部を形成するものとして、二つの嵌合孔６７及び二つの嵌合突起６８が夫々設けられるものとされているが、平板状部材６０における端部平板体部６３及び端部平板体部６４は、係止部を形成するものとして、三つ以上もしくは一つの嵌合孔及び三つ以上もしくは一つの嵌合突起が係止部として夫々設けられるものとされてもよく、さらには、係止部を形成するものとしての嵌合孔及び嵌合突起が設けらないものとされてもよい。
【実施例３】
【００７４】
図１５は、本願の特許請求の範囲における請求項５または請求項６に記載された発明に係る頭部装着具の製造方法の一例によって製造される、本願の特許請求の範囲における請求項１から請求項４までのいずれかに記載された発明に係る頭部装着具のさらに他の例（実施例３）に用いられる平板体を成す部材を示す。
【００７５】
図１５に示される平板体を成す部材である平板状部材７０は、略直線状に伸びる帯状平板体部７１と、その帯状平板体部７１の長手方向の両端部に夫々配された、例えば、各々が楕円形状とされた二つの端部平板体部７３及び７４とを有している。このような略直線状に伸びる帯状平板体部７１と各々が楕円形状とされた端部平板体部７３及び７４とを有した平板状部材７０は、例えば、型が用いられる成形手法が採られたもとで、樹脂材料とされる可撓性材料によって一体的に形成され、全体として平板体を成すものとされて得られる。
【００７６】
端部平板体部７３は、互いに平行なものとして所定の方向に伸びる複数の長孔７５が設けられたものとされており、端部平板体部７４は、互いに平行なものとして複数の長孔７５が伸びる方向とは異なる方向に伸びる複数の長孔７６が設けられたものとされている。さらに、端部平板体部７３には、各々が比較的小なる径寸法を有するものとされた二つの嵌合孔７７が係止部を成すものとして設けられており、端部平板体部７４には、各々が嵌合孔７７に嵌合し得る寸法を有するものとされた二つの嵌合突起７８が係止部を成すものとして設けられている。
【００７７】
端部平板体部７３に設けられた二つの嵌合孔７７は、端部平板体部７３における、複数の長孔７５の夫々が伸びる方向に直交する方向に伸びる仮想中心線７３Ａ上の、互いに平行に設けられた複数の長孔７５を挟む位置に配されている。また、端部平板体部７４に設けられた二つの嵌合突起７８は、端部平板体部７４における、複数の長孔７６の夫々が伸びる方向に直交する方向に伸びる仮想中心線７４Ａ上の、互いに平行に設けられた複数の長孔７６を挟む位置に配されている。
【００７８】
端部平板体部７３における仮想中心線７３Ａは、帯状平板体部７１の長手方向に伸びる仮想中心線７１Ａに対して、例えば、約２０度に選定される所定の傾斜角αをなし、また、端部平板体部７４における仮想中心線７４Ａも、帯状平板体部７１の長手方向に伸びる仮想中心線７１Ａに対して、例えば、約２０度に選定される所定の傾斜角αをなすものとされる。それにより、端部平板体部７３及び端部平板体部７４の夫々は、帯状平板体部７１に対して、所謂、反対方向に傾いたものとなっている。
【００７９】
帯状平板体部７１は、その両端部を除いて、全体に亙って均一な幅方向（仮想中心線７１Ａに直交する方向）の寸法を有しており、また、端部平板体部７３と端部平板体部７４とは、各々の外形形状及び寸法が実質的に同一とされ、また、端部平板体部７３に設けられた複数の長孔７５と端部平板体部７４に設けられた複数の長孔７６とは、互いに対応するものが寸法を実質的に同一としている。従って、帯状平板体部７１と端部平板体部７３及び７４とを有した平板状部材７０は、端部平板体部７３に嵌合孔７７が設けられて端部平板体部７４に嵌合突起７８が設けられているという相違はあるが、帯状平板体部７１の長手方向の中央部において仮想中心線７１Ａに直交する仮想線７１Ｂの両側となる部分が線対称となる位置関係に置かれていることになる。
【００８０】
本願の特許請求の範囲における請求項１から請求項４までのいずれかに記載された発明に係る頭部装着具のさらに他の例（実施例３）は、上述の図１５に示される平板状部材７０が２個用いられて、前述の本願の特許請求の範囲における請求項１から請求項４までのいずれかに記載された発明に係る頭部装着具の一例（実施例１）と同様に構成される。そして、その製造にあたっては、前述の本願の特許請求の範囲における請求項５または請求項６に記載された発明に係る頭部装着具の製造方法の一例に従って、前述の本願の特許請求の範囲における請求項１から請求項４までのいずれかに記載された発明に係る頭部装着具の一例（実施例１）の場合と同様に形成される。
【００８１】
なお、図１５に示される平板状部材７０にあっては、帯状平板体部７１が略直線状に伸びるものとされているが、帯状平板体部６１は、略折線状あるいは曲線状に伸びるものとされてもよい。
【００８２】
また、図１５に示される平板状部材７０にあっては、端部平板体部７３及び端部平板体部７４が、係止部を形成するものとして、二つの嵌合孔７７及び二つの嵌合突起７８が夫々設けられるものとされているが、平板状部材７０における端部平板体部７３及び端部平板体部７４は、係止部を形成するものとして、三つ以上もしくは一つの嵌合孔及び三つ以上もしくは一つの嵌合突起が係止部として夫々設けられるものとされてもよく、さらには、係止部を形成するものとしての嵌合孔及び嵌合突起が設けらないものとされてもよい。
【産業上の利用可能性】
【００８３】
上述のような本願の特許請求の範囲における請求項１から請求項４までのいずれかに記載された発明に係る頭部装着具は、比較的低い製造コストをもって得られ、しかも、それを人頭部に装着する使用者に不快感を覚えさせる事態を回避できるものとして、例えば、顎固定具や防塵用，防毒用または呼吸用マスク等の、使用者の顔面部に装着される器具を支持するものとして、医療用具や健康維持用具等に広く適用され得るものである。また、本願の特許請求の範囲における請求項５または請求項６に記載された発明に係る頭部装着具の製造方法については、上述の本願の特許請求の範囲における請求項１から請求項４までのいずれかに記載された発明に係る頭部装着具を容易に得ることができるものとして、有効活用することができる。
【図面の簡単な説明】
【００８４】
【図１】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具の一例を示す斜視図である。
【図２】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具の一例に用いられる平板体を成す部材を示す平面図である。
【図３】図２に示される平板状部材の構成の説明に供される部分断面図である。
【図４】図２に示される平板状部材の構成の説明に供される部分断面図である。
【図５】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具の一例の説明に供される平面図である。
【図６】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具の一例の説明に供される平面図である。
【図７】図１に示される頭部装着具の構成の説明に供される側面図である。
【図８】図１に示される頭部装着具が適用された鼾防止装置の一例を示す斜視図である。
【図９】図８に示される鼾防止装置の使用状態を示す側面図である。
【図１０】図１に示される頭部装着具が適用された鼾防止装置の他の例を示す斜視図である。
【図１１】図１０に示される鼾防止装置が備える顎当て具の構成の説明に供される平面図である。
【図１２】図１０に示される鼾防止装置が備える顎当て具の構成の説明に供される平面図である。
【図１３】図１０に示される鼾防止装置の使用状態を示す側面図である。
【図１４】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具の他の例に用いられる平板体を成す部材を示す平面図である。
【図１５】本願の特許請求の範囲における請求項５または請求項６に記載された発明に係る頭部装着具の製造方法の一例に従って製造される、本願の特許請求の範囲における請求項１から請求項４までのいずれかに記載された発明に係る頭部装着具のさらに他の例に用いられる平板体を成す部材を示す平面図である。
【図１６】従来の頭部装着具の一例を示す平面図である。
【図１７】図１６に示される頭部装着具が適用された鼾防止装置の使用状態を示す図である。
【図１８】図１６に示される頭部装着具が湾曲せしめられた状態を示す側面図である。
【符号の説明】
【００８５】
２０，４６，６０，７０・・・平板状部材，  ２１，４７，６１，７１・・・帯状平板体部，  ２１Ａ，２３Ａ，２４Ａ，４７Ａ，４８Ａ，４９Ａ，６１Ａ，６３Ａ，６４Ａ，７１Ａ，７３Ａ，７４Ａ・・・仮想中心線、  ２１Ｂ，４７Ｂ，６１Ｂ，７１Ｂ・・・仮想線，  ２３，２４，４８，４９，６３，６４，７３，７４・・・端部平板体部，  ２５，２６，５０，５１，６５，６６，７５，７６・・・長孔，  ２７，５２，６７，７７・・・嵌合孔，  ２８，５３，６８，７８・・・嵌合突起，  ３０・・・組立て体，  ４０，４３・・・顎当て具，  ４１，４５・・・鼾防止装置，  ４２，４４・・・締結部材
【図１】
2008073125.tif 000003
【図２】
2008073125.tif 000004
【図３】
2008073125.tif 000005
【図４】
2008073125.tif 000006
【図５】
2008073125.tif 000007
【図６】
2008073125.tif 000008
【図７】
2008073125.tif 000009
【図８】
2008073125.tif 000010
【図９】
2008073125.tif 000011
【図１０】
2008073125.tif 000012
【図１１】
2008073125.tif 000013
【図１２】
2008073125.tif 000014
【図１３】
2008073125.tif 000015
【図１４】
2008073125.tif 000016
【図１５】
2008073125.tif 000017
【図１６】
2008073125.tif 000018
【図１７】
2008073125.tif 000019
【図１８】
2008073125.tif 000020